【事件の表示】
　特願２００２−１７１８３６「自動塗抹標本作製装置」拒絶査定不服審判事件〔平成１５年３月１９日出願公開、特開２００３−８３８５６〕について、次のとおり審決する。
【結　論】
　本件審判の請求は、成り立たない。
【理　由】
第１　手続の経緯
　本願は、平成１４年６月１２日の特許出願であって、平成２０年１月２２日付けで拒絶査定がなされ、これに対し、平成２０年２月２８日に拒絶査定不服審判の請求がなされるとともに、同年３月２８日付けで手続補正がなされたものである。
　
第２　平成２０年３月２８日付けの手続補正についての補正却下の決定
［補正却下の決定の結論］
　　平成２０年３月２８日付けの手続補正を却下する。
［理由］
１　補正後の請求項１に記載された発明
　本件補正により、特許請求の範囲の請求項１は、次のとおりに補正された。（下線は補正箇所を示す。）
「【請求項１】
　引きガラスを使用してスライドガラス上に
血液
　使用された引きガラスを洗浄するための洗浄液を収容
し、開口を有
　洗浄槽に超音波を印加する超音波発生部と、
　
洗浄槽の開口の上方に配置され、
、
　
ノズル部が第１ノズルと第２ノズルとを含み、第１ノズルが、洗浄された引きガラスの片面側に配置され、第２ノズルが前記引きガラスの他の片面側に配置されている
　
　上記補正は、請求項１に記載した発明を特定するために必要な事項である「生体試料」を「血液」と限定し、「洗浄槽」について、「開口を有する」との限定を付加し、「乾燥用の空気を吐出するノズル部」について、「洗浄槽の開口の上方に配置され」との限定を付加すると共に、「ノズル部が第１ノズルと第２ノズルとを含み、第１ノズルが、洗浄された引きガラスの片面側に配置され、第２ノズルが前記引きガラスの他の片面側に配置されている」との限定を付加する補正であるから、平成１８年法律第５５号改正附則第３条第１項によりなお従前の例によるとされる同法による改正前の特許法第１７条の２第４項第２号の特許請求の範囲の減縮を目的とするものに該当する。
　
　そこで、補正後の請求項１に記載された発明（以下、「本願補正発明」という。）が特許出願の際に独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２　引用刊行物の記載事項
　原査定の拒絶の理由に引用された、本願出願日前に頒布された刊行物１ないし４には、以下の事項がそれぞれ記載されている。
  　
（１）刊行物１：特開平８−２７１３９０号公報の記載事項
（1a）「【請求項５】
標本用スライドガラスに血液の塗抹を施すための塗抹部
請求項１〜４のいずれか１つに記載のスライドガラス収納用カセットまたは請求項１〜３のいずれか１つに記載の収納部を備えてなる収納体を１個もしくは複数個、着脱可能にセットして搬送するための搬送部と、
標本用スライドガラスを前記カセットまたは前記収納体に１枚ずつ収納するための収納操作部と、
前記カセットまたは前記収納体に染色液を供給して塗抹済みスライドガラスに染色を施すための染色部とを備えてなる
自動標本作製装置
（1b）「【０００１】
【産業上の利用分野】本発明は、スライドガラス収納用カセットおよび自動標本作製装置に関するものであり、さらに詳しくは、標本用スライドガラスを搬送や染色作業などの目的で収納するためのカセットに関するとともに、
スライドガラスに血液の塗抹を自動的に施して標本を作製しあるいは血液の塗抹が施されたスライドガラスに染色を自動的に施して標本を作製する自動標本作製装置に関するものである
（1c）「【００４７】取り出されたスライドガラス１０には、ピペット４７ｂにより吸引された試料が約５マイクロリットル滴下される。このピペット４７ｂはその後、ピペット洗浄槽４８で洗浄される。
【００４８】次いで、試料の滴下されたスライドガラス１０は、塗抹部１の前記第１所定位置においてウェッジ法に基づく塗抹機構４９によって塗抹に付される。すなわち、第１所定位置に配された
引きガラス５０がスライドガラス１０に当接した状態でその長手方向に移動されて塗抹が行われる
塗抹が終わると引きガラス５０は、油分やタンパク質を取り除くための洗浄液が入った引きガラス洗浄槽５１に一定時間浸けられた後に引き上げられてノズルで洗浄される
（1d）図１の部分構成を示す図２には、「引きガラス５０」と「引きガラス洗浄槽５１」が備えられていることが図示され、また図１３のフローチャートには、引きガラスを移動させて試料を塗抹後、引きガラスの洗浄が行われることが記載されている。（第１４頁【図２】、第１６頁【図１３】）
　
（２）刊行物２：特開２００１−９９８４７号公報の記載事項
（2a）「【０００４】ところで上記マイクロアレイチップは、上述したように極めて多数のｃＤＮＡ等の特異的結合物質がメンブレンフィルタやスライドガラス等のチップ上に高密度にスポットされたものであるが、このスポットは図３に示すように、マイクロアレイチップ製造装置（スポッターまたはアレイヤー）によってなされている。」
（2b）「【０００８】次に最初の特異的結合物質孔１０ａの右隣の４個・・・の各特異的結合物質孔１０ａに貯留された特異的結合物質１１を採取するが、各特異的結合物質孔１０ａに貯留されている特異的結合物質１１は通常それぞれ異なるため、
採取ピン３１に付着している前の試料が混ざらないように、次の採取に先だって採取ピン３１を超音波洗浄、乾燥させる必要がある
　
（３）刊行物３：特開２００１−５０９５９号公報の記載事項
「【００１８】図１に示すように、各区画１０Ａ，１０Ｂには、多数の基板がマトリクス状に載置される作業台としての基板載置部１１と、例えばＤＮＡ断片を含む溶液等が貯えられる多数の凹部が配列して形成された溶液貯留部としてのタイタープレート１２と、アレイングヘッド３が具備する
液溜め部材（後述）を超音波を付与した水により外側から洗浄するための超音波洗浄機１３
洗浄した液溜め部材を乾燥させるための乾燥部１５
　
（４）刊行物４：特開平４−９６７０号公報の記載事項
（4a）「液体試料を吸入保持し、吐出するノズルと、
　
洗浄液が供給される洗浄部
　
ノズルまたは洗浄部に連結され、洗浄液中に超音波を照射する超音波振動発生部
（4b）「［発明の効果］
　この発明によれば、洗浄水の対流に加えて、
洗浄水中に超音波振動が発生されることによって
試薬や試料が完全に除去されるようになる
ノズルの付着物による試料の劣化がなくなり
（4c）第１図には、洗浄水で満たされた開口部を有する洗浄槽の下方にランジュバン型の超音波振動発生部１６が配置されて、分注ノズル４６が洗浄水に浸けられ、洗浄される実施例が図示されている。（２頁右上欄８行〜３頁左上欄１６行）
　
３　対比・判断
　上記刊行物１の記載事項（上記(1a)(1c)）から、刊行物１には、
「標本用スライドガラスに血液の塗抹するために、引きガラスがスライドガラスに当接した状態でその長手方向に移動されて塗抹を行う塗抹部と、塗抹が終わった引きガラスの油分やタンパク質を取り除くための洗浄液が入った引きガラス洗浄槽と、一定時間洗浄槽に浸けられた後に引き上げられた引きガラスを洗浄するノズルとを備えてなる自動標本作製装置」の発明（以下、刊行物１発明という。）が記載されていると認められる。
　
　そこで、本願補正発明と刊行物１発明とを比較する。
（ア）刊行物１発明の「標本用スライドガラス」、「塗抹部」、「自動標本作製装置」は、本願補正発明の「スライドガラス」、「試料塗抹部」、「自動塗抹標本作製装置」にそれぞれ相当する。
（イ）刊行物１発明の「引きガラス洗浄槽」に、引きガラスは一定時間浸けられた後引き上げられてノズルで洗浄されることから、洗浄槽の上部には引きガラスを出し入れするための開口が設けられているといえる。
　
　したがって、両者の間には以下の一致点及び相違点がある。
（一致点）
　引きガラスを使用してスライドガラス上に血液を塗抹する試料塗抹部と、使用された引きガラスを洗浄するための洗浄液を収容し、開口を有する洗浄槽とを備えた自動塗抹標本作製装置である点。
　
（相違点１）
　本願補正発明は、洗浄槽に超音波を印加する超音波発生部を備えているのに、刊行物１発明は、超音波発生部を備えていない点。
　
（相違点２）
　本願補正発明が、洗浄槽の開口の上方に配置され、洗浄された引きガラスの両面に乾燥用の空気を吐出するノズル部とを備え、ノズル部が第１ノズルと第２ノズルとを含み、第１ノズルが、洗浄された引きガラスの片面側に配置され、第２ノズルが前記引きガラスの他の片面側に配置されているのに対し、刊行物１発明は、洗浄用のノズルを備えているものの、乾燥用のノズルは備えていない点。
　
　そこで、上記各相違点について検討する
（相違点１について）
　生体試料を取り扱う装置や部材を洗浄する際に、付着したタンパク質等を除去するために洗浄液に超音波を印加することは、例えば、刊行物２ないし４にも記載されるとおり本願出願前の周知技術であるから、刊行物１発明において、引きガラスに付着したタンパク質等を除去するために用いる洗浄槽に超音波を印加する超音波発生部を設けることに、格別の困難性があるとはいえない。
　
（相違点２について）
　生体試料を取り扱う装置や部材を洗浄後、乾燥する必要があることは、刊行物２、３、特開昭６２−２４２８５８号公報（特許請求の範囲、第１図〜第４図）、特開平８−２４８０３５号公報（【請求項１】）にも記載されるように、本願出願前の周知技術であり、洗浄及び乾燥は、部材の表面だけでなく内面や裏側についても行われる必要があることは当然のことである。そして、刊行物１発明は、洗浄槽から引き上げた引きガラスの洗浄をノズルで行うものであるが、洗浄だけでなく乾燥もノズルから空気を吹き付けて迅速に行うことは、例えば、特開昭６２−２４２８５８号公報（特許請求の範囲、第１図〜第４図）及び特開昭５７−５７２６１号公報（特許請求の範囲、第４頁右下欄９行〜１５行、図４）にも記載されるとおり周知技術である。
　そうすると、刊行物１発明において、洗浄槽から引き上げられた引きガラスを洗浄槽の開口の上方でノズルで洗浄することに引き続き、乾燥用の空気を吐出するノズルを設けて乾燥するようにし、その際、引きガラスは平板状のガラス板であるから、ガラス板の両側にノズルを設けて洗浄及び乾燥を行うように構成し、洗浄槽の開口の上方で、ノズル部が第１ノズルと第２ノズルとを含み、第１ノズルが、洗浄された引きガラスの片面側に配置され、第２ノズルが前記引きガラスの他の片面側に配置されたものとすることは、当業者が容易になし得たものといえる。
　
（本願補正発明の効果について）
　本願補正発明の、迅速な洗浄及び乾燥で、次の血液の塗抹処理に迅速に移行できる自動塗抹標本作製装置が提供されるという効果は、刊行物１の記載事項、及び刊行物２ないし４等の周知技術から予測し得るのものであり、格別顕著なものとはいえない。
　
　したがって、補正発明は、刊行物１に記載された発明、及び刊行物２ないし４等の周知技術に基づいて当業者が容易に発明をすることができたものであるから、特許法第２９条第２項の規定により、特許出願の際独立して特許を受けることができないものである。
　
４　むすび
　以上のとおりであるから、本件補正は、平成１８年法律第５５号改正附則第３条第１項によりなお従前の例によるとされてる同法による改正前の特許法第１７条の２第５項において準用する同法第１２６条第５項の規定に違反するので、特許法第１５９条第１項の規定において読み替えて準用する同法第５３条第１項の規定により、却下すべきものである。
　
第３　本願発明について
１　本願発明
　平成２０年３月２８日付けの手続補正は上記のとおり却下されることとなったので、本願の請求項１ないし６に係る発明は、平成１９年１２月２５日付けの手続補正書により補正された特許請求の範囲の請求項１ないし６に記載されたとおりのものと認められ、その請求項１は次のとおりのものである。（以下、「本願発明」という。）
　
「【請求項１】引きガラスを使用してスライドガラス上に生体試料を塗抹する試料塗抹部と、使用された引きガラスを洗浄するための洗浄液を収容する洗浄槽と、洗浄槽に超音波を印加する超音波発生部と、洗浄された引きガラスの両面に乾燥用の空気を吐出するノズル部とを備える自動塗抹標本作製装置。」
　
２　引用刊行物の記載事項
　原査定の拒絶の理由に引用された刊行物１ないし４の記載事項は、前記「第２　２」に記載したとおりである。
　
３　対比・判断
　本願発明は、前記「第２　１」において検討した本願補正発明について、「血液」を「生体試料」と上位概念化し、「洗浄槽」の限定事項である「開口を有する」との構成、及び「乾燥用の空気を吐出するノズル部」の限定事項である「洗浄槽の開口の上方に配置され」及び「ノズル部が第１ノズルと第２ノズルとを含み、第１ノズルが、洗浄された引きガラスの片面側に配置され、第２ノズルが前記引きガラスの他の片面側に配置されている」との構成を省いたものである。
　そうすると、本願発明の構成要件を全て含み、さらに、構成を限定、及び他の構成要件を付加したものに相当する本願補正発明が、前記「第２　３」に記載したとおり、刊行物１に記載された発明、及び刊行物２ないし４等の周知技術に基づいて、当業者が容易に発明をすることができたものであるから、本願発明も、同様の理由により、刊行物１に記載された発明、及び刊行物２ないし４等の周知技術に基づいて、当業者が容易に発明をすることができたものである。
　
４　むすび
　以上のとおり、本願発明は、刊行物１に記載された発明、及び刊行物２ないし４等の周知技術に基づいて当業者が容易に発明をすることができたものであるから、特許法第２９条第２項の規定により特許を受けることができない。
　したがって、その他の請求項に係る発明についての判断を示すまでもなく、本願は拒絶すべきものである。
　よって、結論のとおり審決する。